(57)【要約】【課題】ウェブ材料の切断面を綺麗に揃えることのできるウェブ材料の巻取り装置及びその巻取り方法を提供すること。【解決手段】ウェブ材料の巻取り装置であって、新たな巻取り芯を順次供給する巻取り芯供給手段と、巻取り芯にウェブ材料の先端を巻き付ける巻き付け手段と、先端の巻き付けられた巻取り芯を巻取り位置まで移送し、巻取り芯に接触して回転力を与える上巻取りロールと下巻取りロールとライダーロールとから成る巻取り手段と、巻取り完了時にウェブ材料を切断し、巻き終わりの自由端と巻き始めの自由端を形成するウェブ材料の後尾切断手段とを備え、前記後尾切断手段は、前記上巻取りロールに近接可能に配設され、ウェブ材料の幅方向沿って並設されたエア吐出ノズルを備えたので、ウェブ材料の切断面が綺麗に揃う上に、切断位置を確実に特定することができる。【選択図】図１
2008230739.tif 000002
【特許請求の範囲】
【請求項１】
巻取り芯に所定長のウェブ材料を巻き上げたロールを製造するウェブ材料の巻取り装置であって、
新たな巻取り芯を順次供給する巻取り芯供給手段と、巻取り芯にウェブ材料の先端を巻き付ける巻き付け手段と、先端の巻き付けられた巻取り芯を巻取り位置まで移送し、巻取り芯に接触して回転力を与える上巻取りロールと下巻取りロールとライダーロールとから成る巻取り手段と、巻取り完了時にウェブ材料を切断し、巻き終わりの自由端と巻き始めの自由端を形成するウェブ材料の後尾切断手段とを備え、前記後尾切断手段は、前記上巻取りロールに近接可能に配設され、ウェブ材料の幅方向沿って並設されたエア吐出ノズルを備えたことを特徴とするウェブ材料の巻取り装置。
【請求項２】
前記後尾切断手段におけるエア吐出ノズルは、前記上巻取りロール周面の幅方向に形成された切断溝と協働してウェブ材料を切断することを特徴とする請求項１に記載のウェブ材料の巻取り装置。
【請求項３】
前記後尾切断手段は、エア吐出ノズルの近傍でウェブ材料の移動方向の下流側に、前記上巻取りロールとの間でウェブ材料を狭持可能なピンチパッドを備えたことを特徴とする請求項１または２に記載のウェブ材料の巻取り装置。
【請求項４】
新たな巻取り芯を供給する巻取り芯供給工程と、巻取り芯にウェブ材料の先端を巻き付ける巻き付け工程と、先端の巻き付けられた巻取り芯を巻取り芯移送路に沿って巻取り位置まで移送する移送工程と、巻取り位置で巻取り芯に所定長のウェブ材料を巻き取る巻取り工程と、巻取り芯に所定長のウェブ材料が巻き取られ際に、ウェブ材料を切断し、巻き終わりの自由端と巻き始めの自由端を形成するウェブ材料の後尾切断工程とから成るペーパーウエブの巻取り方法であって、
前記ウェブ材料の後尾切断工程において、ウェブ材料にエア吐出ノズルからエアを吐出することによって切断することを特徴とするウェブ材料の巻取り方法。
【発明の詳細な説明】
【技術分野】
【０００１】
本発明は、太巻きされたウェブ状材料を小さなロールに小分けして巻き取る巻取り装置及びその巻取り方法に関するものである。
【背景技術】
【０００２】
一般に、トレイットぺーパーやぺーパータオルは、太径の親ロールに巻かれたウェブ状材料を幅や長さを切断して、小径のロールに巻取り装置で巻き取ることが行われている。このような巻取り装置において、ウェブ状材料の後端をその長手方向に対して直角に切断する後尾切断装置が知られている。
ウェブ材料の巻取り装置の例として、例えば、特表２００３−５２５１８５号公報に開示されたものは、小径のロールに巻き取る動作が終了する際に、ウェブ状材料の後端を切り離し部材で押さえて、巻取りロールとの間の引っ張り力によって切断していた。
【０００３】
また、図６に示すように、第１〜第３巻取りロール１、２、３によりウェブ材料Ｗは巻取り芯Ｃに巻き取られている。ウェブ材料Ｗが所定長さ巻き取られた段階で、押さえ部材４が矢印Ａ方向に回転して、第１巻取りロール１との間にウェブ材料Ｗを挟み、巻取り芯Ｃに巻き取られたウェブ材料Ｗの後端を切断する。この際、次の巻取り芯Ｃ１は、供給手段５によって図の位置まで供給されている（特許文献１）。
【特許文献１】特表２００３−５２５１８５号公報
【発明の開示】
【発明が解決しようとする課題】
【０００４】
しかし、図６に示すような構造の従来のウェブ材料の巻取り装置にあっては、物理的に引張って切断するために切断面が不揃いで綺麗にならない上に、押さえ部材で押さえた位置と巻物Ｌの後端の間の何れの位置で切断されるかわからないと云う問題点が存在した。
【課題を解決するための手段】
【０００５】
前記目的を達成するために、請求項１に記載の発明は、巻取り芯に所定長のウェブ材料を巻き上げたロールを製造するウェブ材料の巻取り装置であって、新たな巻取り芯を順次供給する巻取り芯供給手段と、巻取り芯にウェブ材料の先端を巻き付ける巻き付け手段と、先端の巻き付けられた巻取り芯を巻取り位置まで移送し、巻取り芯に接触して回転力を与える上巻取りロールと下巻取りロールとライダーロールとから成る巻取り手段と、巻取り完了時にウェブ材料を切断し、巻き終わりの自由端と巻き始めの自由端を形成するウェブ材料の後尾切断手段とを備え、前記後尾切断手段は、前記上巻取りロールに近接可能に配設され、ウェブ材料の幅方向沿って並設されたエア吐出ノズルを備えたことを特徴としている。
【０００６】
また、請求項２に記載の発明において、前記後尾切断手段におけるエア吐出ノズルは、前記上巻取りロール周面の幅方向に形成された切断溝と協働してウェブ材料を切断することを特徴とするものである。
【０００７】
また、請求項３に記載の発明において、前記後尾切断手段は、エア吐出ノズルの近傍でウェブ材料の移動方向の下流側に、前記上巻取りロールとの間でウェブ材料を狭持可能なピンチパッドを備えたことを特徴とするものである。
【０００８】
また、請求項４に記載の発明において、新たな巻取り芯を供給する巻取り芯供給工程と、巻取り芯にウェブ材料の先端を巻き付ける巻き付け工程と、先端の巻き付けられた巻取り芯を巻取り芯移送路に沿って巻取り位置まで移送する移送工程と、巻取り位置で巻取り芯に所定長のウェブ材料を巻き取る巻取り工程と、巻取り芯に所定長のウェブ材料が巻き取られ際に、ウェブ材料を切断し、巻き終わりの自由端と巻き始めの自由端を形成するウェブ材料の後尾切断工程とから成るペーパーウエブの巻取り方法であって、前記ウェブ材料の後尾切断工程において、ウェブ材料にエア吐出ノズルからエアを吐出することによって切断することを特徴とするものである。
【発明の効果】
【０００９】
この発明は前記した構成からなるので、以下に説明するような効果を奏することができる。
【００１０】
請求項１に記載の発明では、巻取り芯に所定長のウェブ材料を巻き上げたロールを製造するウェブ材料の巻取り装置であって、新たな巻取り芯を順次供給する巻取り芯供給手段と、巻取り芯にウェブ材料の先端を巻き付ける巻き付け手段と、先端の巻き付けられた巻取り芯を巻取り位置まで移送し、巻取り芯に接触して回転力を与える上巻取りロールと下巻取りロールとライダーロールとから成る巻取り手段と、巻取り完了時にウェブ材料を切断し、巻き終わりの自由端と巻き始めの自由端を形成するウェブ材料の後尾切断手段とを備え、前記後尾切断手段は、前記上巻取りロールに近接可能に配設され、ウェブ材料の幅方向沿って並設されたエア吐出ノズルを備えたので、ウェブ材料の切断面を綺麗に揃えることができる。したがって、ロールの端末処理を綺麗にすることができる。
【００１１】
また、請求項２に記載の発明において、前記後尾切断手段におけるエア吐出ノズルは、前記上巻取りロール周面の幅方向に形成された切断溝と協働してウェブ材料を切断するので、ウェブ材料の切断面を綺麗に揃えることができる。
【００１２】
また、請求項３に記載の発明において、前記後尾切断手段は、エア吐出ノズルの近傍でウェブ材料の移動方向の下流側に、前記上巻取りロールとの間でウェブ材料を狭持可能なピンチパッドを備えたので、ウェブ材料の切断面を綺麗に揃えることができる。また、新たな巻取り芯にウェブ材料の先端を巻き付ける際の処理を容易にすることができる。
【００１３】
また、請求項４に記載の発明において、新たな巻取り芯を供給する巻取り芯供給工程と、巻取り芯にウェブ材料の先端を巻き付ける巻き付け工程と、先端の巻き付けられた巻取り芯を巻取り芯移送路に沿って巻取り位置まで移送する移送工程と、巻取り位置で巻取り芯に所定長のウェブ材料を巻き取る巻取り工程と、巻取り芯に所定長のウェブ材料が巻き取られ際に、ウェブ材料を切断し、巻き終わりの自由端と巻き始めの自由端を形成するウェブ材料の後尾切断工程とから成るペーパーウエブの巻取り方法であって、前記ウェブ材料の後尾切断工程において、ウェブ材料にエア吐出ノズルからエアを吐出することによって切断するので、ウェブ材料の切断面を綺麗に揃えることができる。
【発明を実施するための最良の形態】
【００１４】
本発明は、ウェブ材料の巻き終わりの自由端と巻き始めの自由端を形成する際に、ウェブ材料の幅方向沿って並設されたエア吐出ノズルを使用し、切断面を綺麗に揃えることのできるウェブ材料の巻取り装置及びその巻取り方法を実現した。
【実施例１】
【００１５】
以下、一実施の形態を示す図面に基づいて本発明を詳細に説明する。図１は本発明の一実施例に係るウェブ材料の巻取り装置の巻取り工程を示す説明図、図２は、本発明のウェブ材料の巻取り装置の後尾切断工程を示す説明図、図３は、本発明のウェブ材料の巻取り装置の巻き付け工程を示す説明図、図４は、本発明のウェブ材料の巻取り装置の移送工程を示す説明図である。ここで、ウェブ材料の巻取り装置１０は、新たな巻取り芯Ｃを順次供給する巻取り芯供給手段１１と、巻取り芯にウェブ材料の先端を巻き付ける巻き付け手段１２と、先端の巻き付けられた巻取り芯を巻取り位置まで移送し、巻取り芯に接触して回転力を与える上巻取りロール１３と下巻取りロール１４とライダーロール１５とから成る巻取り手段１６と、巻取り完了時にウェブ材料を切断し、巻き終わりの自由端と巻き始めの自由端を形成するウェブ材料の後尾切断手段１７とを備え、前記後尾切断手段１７は、前記上巻取りロール１３に近接可能に配設され、ウェブ材料の幅方向沿って並設されたエア吐出ノズル１８を備えている。
【００１６】
巻取り芯供給手段１１は、供給ベルト１９に所定の間隔でガイド部材２０が取り付けられており、ガイド部材２０のそれぞれに対応して巻取り芯Ｃが載置されている。また、供給ベルト１９を張架する張架ロール２１には、送りバー２２が取り付けられており、供給ベルト１９の先端で待機している巻取り芯Ｃをタイミングに合わせて、移送プレート２３上の巻取り位置まで送り出す。
【００１７】
移送プレート２３上の巻取り位置では、巻き付け手段１２によってウェブ材料の先端が巻き付けられる。ウェブ材料の先端には、図外のノズル等によって接着剤が塗布されており、巻取り芯Ｃに巻き付けられる。
【００１８】
ウェブ材料Ｗの先端が巻き付けられた巻取り芯Ｃは、移送プレート２３上を巻取り位置まで移送される。図１、図４に示す巻取り位置では、上巻取りロール１３と下巻取りロール１４とライダーロール１５とから成る巻取り手段１６が巻取り芯Ｃの外周に接触して回転力を与え、ウェブ材料Ｗを巻き取る。
【００１９】
図２に示すように巻取り芯Ｃに所定長のウェブ材料が巻き取られると、図外の制御機構により上巻取りロール１３が回転を停止するとともにロールの外周面から離脱する。また、上巻取りロール１３の外周面の幅方向に形成された切断溝１３ａが後尾切断手段１７方向に移動する。一方、後尾切断手段１７は、図５に拡大して示すように圧縮エアを導くエアパイプ２４とエアパイプ２４に回動可能に外装されとともにエア吐出ノズル１８及びピンチパッド２５を備えたノズルパイプ２６から構成されている。エアパイプ２４は、上巻取りロール１３に対向した方向に切り欠き２４ａを有しており、ノズルパイプ２６が回動してエア吐出ノズル１８を上巻取りロール１３方向に向けた時に、エアパイプ２４からの圧縮エアがエア吐出ノズル１８から吐出する。切り欠き２４ａは、例えば、６０度の範囲に渡って形成されている。また、ピンチパッド２５は、エア吐出ノズル１８の先端近傍でウェブ材料の移動方向の下流側に配設されている。ピンチパッド２５は、ゴム、スポンジ、軟質合成樹脂等から構成されている。
【００２０】
このように構成された後尾切断手段１７のエア吐出ノズル１８と上巻取りロール１３の幅方向に形成された切断溝１３ａが協働して、図５に示すようにウェブ材料Ｗを切断する。エア吐出ノズル１８は、ノズルパイプ２６が上巻取りロール１３の方向に向いている約６０度の範囲で圧縮エアを吐出し、それ以外の範囲では吐出することはない。また、ピンチパッド２５がウェブ材料の巻き始めの自由端となる部位を上巻取りロール１３との間で狭持し、次の工程で移送されてくる巻取り芯Ｃに巻き付ける。なお、巻き始めとなる自由端には、図外の機構により接着剤が塗布されている。
【００２１】
以上のように構成された本発明に係るウェブ材料の巻取り装置は、ウェブ材料Ｗをエア吐出ノズルで切断するので、ウェブ材料の切断面を綺麗に揃えることができる。したがって、ロールの端末処理を綺麗にすることができる。
【００２２】
なお、エア吐出ノズルは、複数のノズルを幅方向に並列させた例について説明したが、他の構成であってもよい。
【図面の簡単な説明】
【００２３】
【図１】図１は、本発明の一実施例に係るウェブ材料の巻取り装置の巻取り工程を示す説明図である。
【図２】図２は、同ウェブ材料の巻取り装置の後尾切断工程を示す説明図である。
【図３】図３は、同ウェブ材料の巻取り装置の巻き付け工程を示す説明図である。
【図４】図４は、同ウェブ材料の巻取り装置の移送工程を示す説明図である。
【図５】図５は、同ウェブ材料の巻取り装置の後尾切断手段を示す要部拡大断面である。
【図６】図６は、従来のウェブ材料の巻取り装置の一例を示す説明図である。
【符号の説明】
【００２４】
１０      ウェブ材料の巻取り装置
１１      巻取り芯供給手段
１２      巻き付け手段
１３      上巻取りロール
１３ａ    切断溝
１４      下巻取りロール
１５      ライダーロール
１６      巻取り手段
１７      後尾切断手段
１８      エア吐出ノズル
１９      供給ベルト
２０      ガイド部材
２１      張架ロール
２２      案内バー
２３      移送プレート
２４      エアパイプ
２４ａ    切り欠き
２５      ピンチパッド
２６      ノズルパイプ
【図１】
2008230739.tif 000003
【図２】
2008230739.tif 000004
【図３】
2008230739.tif 000005
【図４】
2008230739.tif 000006
【図５】
2008230739.tif 000007
【図６】
2008230739.tif 000008